(57)【特許請求の範囲】
【請求項１】
可動手段によって移動自在に支持される矩形枠状の可動フレームと、前記可動フレームの左右両端部に設けられた、偏寄傾向を付与する付勢手段と、前記付勢手段を介して上下方向に独立して移動し得るように前記可動フレームに対して取り付けられる載置板を有する昇降容器とを備えており、
前記載置板上に被収容物が載置され、
前記昇降容器は所定の荷重を上回る負荷がかかっている状態では前記昇降容器の前記載置板の底面が床面に当接し密着した状態となり、一方、所定の荷重以下の負荷がかかっている状態では前記昇降容器の前記載置板の底面が床面より上方に位置するように構成したことを特徴とする可動式収納装置。
【請求項２】
請求項１に記載した可動式収納装置において、
可動フレームはコの字状の前部フレームと後部フレームを有し、
前記前部フレームと前記後部フレームの左右両端部の下面部には上方に向けてガイドピンが立ち上げられており、前記ガイドピンに対して付勢手段としての圧縮コイルバネが外嵌めされており、
ガイド穴を有する案内ブラケットが前記圧縮コイルバネを上方から挟むように、そのガイド穴とガイドピンとが遊嵌状態で嵌合しており、
昇降容器は載置板の前面及び後面を閉塞する前面板と後面板を有し、
前記案内ブラケットが前記前面板と前記後面板に固定されている
ことを特徴とする可動式収納容器。
【請求項３】
請求項１または２に記載した可動式収納装置において、可動手段は可動フレームの一方の側部フレームとキャビネットフレームとの間に設けられるガイドレールと、可動フレームの他方の側部フレームあるいは前部フレームないしは後部フレームに対して設けられる走行輪とによって構成されていることを特徴とする可動式収納装置。
【発明の詳細な説明】
【０００１】
【発明の属する技術分野】
本発明は各種のキャビネットに対して設けられる可動式の収納装置に係り、特にキャビネットにおける底板の下方空間であるいわゆる蹴込みの有効利用を図った可動式収納装置に関する。
【０００２】
【従来の技術】
例えば浴室への連絡室となる脱衣室や洗面室にはユニット式洗面台が多く設けられている。ユニット式洗面台の下半分は一般にキャビネットになっている。このキャビネットにおける底板の下方には未使用の空間が形成されている。
当該空間の有効利用を図る観点から脱衣室等で多く用いられている体重計等の収納スペースとしてこの空間が利用されている。即ち、当該空間に引き出し式の収納装置を設け、その収納装置の容器に体重計を収納しておくという試みも行われている。
【０００３】
しかしながら、この体重計を入れる容器に走行輪等の可動手段を設けることができないため、床面上を引きずるようにして容器を出し入れしなければならない。この理由は、体重計に人が乗った場合に、走行輪に大きな荷重がかかるため走行輪が破損してしまうからである。また、強度の大きな走行輪を備えたとしても、走行輪付きの容器は僅かな外力で走行するので、人が容器内の体重計に乗るのは危険である。従って、体重計を入れる容器の出し入れが行いにくいばかりか、容器の出し入れの度に床面が傷ついてしまう。
また、容器を手前に引き出し、容器から体重計を一々取り出して使用し、使用後は再び容器に戻すというのでは、面倒である。
【０００４】
また、一般に引き出し式の収納装置の場合、容器の支持構造として容器の左右両側の側部フレームと洗面台のキャビネットフレームとの間にガイドレール等が設けられることがあるが、このような構成ではキャビネットの間口寸法が変わればその間口寸法に合わせて、別途の収納装置を用意しなければならず、経済性、汎用性の点でも難点があった。
【０００５】
【発明が解決しようとする課題】
本発明は従来の問題点に着目してなされたものであり、収納容器の構造を見直し、収納装置における被収容物を載置する容器を本体から切り離し、別部材とすることで収納装置に無理な力をかけることなく、容器にかかる上方からの過大な負荷に対応できる可動式収納装置を提供することを目的とするものである。
【０００６】
【課題を解決するための手段】
上記課題を解決するために請求項１記載の発明は、可動手段によって移動自在に支持される矩形枠状の可動フレームと、前記可動フレームの左右両端部に設けられた、偏寄傾向を付与する付勢手段と、前記付勢手段を介して上下方向に独立して移動し得るように前記可動フレームに対して取り付けられる載置板を有する昇降容器とを備えており、前記載置板上に被収容物が載置され、前記昇降容器は所定の荷重を上回る負荷がかかっている状態では前記昇降容器の前記載置板の底面が床面に当接し密着した状態となり、一方、所定の荷重以下の負荷がかかっている状態では前記昇降容器の前記載置板の底面が床面より上方に位置するように構成したことを特徴とする可動式収納装置である。
【０００７】
請求項２記載の発明は、請求項１に記載した可動式収納装置において、可動フレームはコの字状の前部フレームと後部フレームを有し、前記前部フレームと前記後部フレームの左右両端部の下面部には上方に向けてガイドピンが立ち上げられており、前記ガイドピンに対して付勢手段としての圧縮コイルバネが外嵌めされており、ガイド穴を有する案内ブラケットが前記圧縮コイルバネを上方から挟むように、そのガイド穴とガイドピンとが遊嵌状態で嵌合しており、昇降容器は載置板の前面及び後面を閉塞する前面板と後面板を有し、前記案内ブラケットが前記前面板と前記後面板に固定されていることを特徴とする可動式収納容器である。
【０００８】
請求項３記載の発明は、請求項１または２に記載した可動式収納装置において、前記可動手段は可動フレームの一方の側部フレームとキャビネットフレームとの間に設けられるガイドレールと、可動フレームの他方の側部フレームあるいは前部フレームないしは後部フレームに対して設けられる走行輪とによって構成されていることを特徴として成る。
【０００９】
【発明の実施の形態】
以下、本発明の可動式収納装置について図示の実施の形態を例にとって具体的に説明する。
図１はユニット式洗面台１における底板３の下方空間５を利用して本発明の可動式収納装置７を設置した実施の形態を示している。
本発明の可動式収納装置７は可動フレーム９に対して付勢手段の一例である圧縮コイルバネ１１を介して昇降容器１３を取り付けることによって基本的に構成されている。
可動フレーム９は、金属製薄板を逆Ｌ字状に屈曲形成して成る左右の側部フレーム１５、１７と金属製薄板をコの字状に屈曲形成して成る前部フレーム１９及び後部フレーム２１とを矩形枠状に組み立てることによって構成されている。
【００１０】
可動フレーム９の一方の側部フレーム１５とユニット式洗面台１におけるキャビネットフレーム２３との間には可動手段の一例であるガイドレール２５が設けられている。ガイドレール２５としては図２に示すように中央に位置するリテーナ２７の左右に二組のコロ列２９を配することで二段階にスライドできる、比較的ストローク長が大きく取れるタイプのものが適用される。
一方、可動フレーム９の他方の側部フレーム１７には同じく可動手段の一例である走行輪３１が前後に二個設けられている。
【００１１】
本実施の形態では可動フレーム９は前後に直線的に移動するのみであるから走行輪３１として固定走行輪を使用し、他方の側部フレーム１７側に設けられる可動手段として走行輪３１を適用したのは、ユニット式洗面台１の間口寸法等が変わっても使用できるように汎用性を持たせたものである。即ち、左右両方ともガイドレール２５を備えると、可動フレーム９の幅寸法を変更して、下方空間５の幅寸法と高精度に調整する必要があるが、上記のように一方をガイドレール２５に、他方を走行輪３１にすると、走行輪３１の配置位置に自由度があるため、下方空間５の幅寸法（間口寸法）が変わっても、可動フレーム９の幅寸法の変更を回避することができる。従って、ユニット式洗面台１の幅寸法（間口寸法）が変わってもガイドレール２５と走行輪３１との距離が同じ可動フレーム９を使用することできる。
【００１２】
前部フレーム１９と後部フレーム２１の左右両端部には付勢手段の一例である圧縮コイルバネ１１が設けられている。具体的には前部フレーム１９と後部フレーム２１におけるそれぞれの下面部には上方に向けてガイドピン３３が立ち上げられており、このガイドピン３３に対して圧縮コイルバネ１１が外嵌めされている。
【００１３】
ガイドピン３３には更に上方から逆Ｌ字状の案内ブラケット３５が圧縮コイルバネ１１を挟むようにして設けられている。案内ブラケット３５の上部水平部にはガイドピン３３の外径より僅かに大きい内径を有するガイド穴３７が形成されている。このガイド穴３７とガイドピン３３とが遊嵌状態に嵌合することで案内ブラケット３５の上下方向の移動が可能になっている。
符号３９は、案内ブラケット３５がガイドピン３３から脱落するのを防止する止め輪を示す。符号４１はハンドルを示し、このハンドル４１は前部フレーム１９の上面部中央に設けられている。
【００１４】
図２、図３に示すように、昇降容器１３は、金属製薄板を凹字状に折り曲げ、更にその上縁部を下方に折り返すことによって形成される載置板４３と、載置板４３の前面及び後面を閉塞する金属製薄板を凹字状ないし逆凹字状に折り曲げることによって形成される前面板４５と後面板４７とによって構成されている。
前面板４５と後面板４７には前記案内ブラケット３５における垂直部がビス４９によって固定されている。従って、昇降容器１３は案内ブラケット３５と共に上下方向に移動することができる。
【００１５】
また昇降容器１３における載置板４３上に載置される被収容物は例えば家庭用の体重計５１である。載置板４３上に体重計５１のみを載置しただけの状態では圧縮コイルバネ１１は幾分収縮するものの、圧縮コイルバネ１１の付勢力によって載置板４３の底面が床面５３より上方に位置するように昇降容器１３は支持されている。
【００１６】
次に、この可動式収納装置７の作動状態について説明する。
１）収納時
本発明の可動式収納装置７がユニット式洗面台１における底板３の下方空間５内に収納された状態では図４（ａ）に示すように昇降容器１３には体重計５１の重量のみが作用しているだけであるから、圧縮コイルバネ１１の付勢力によって載置板４３の底面は床面５３より上方に位置するように昇降容器１３は支持されている。
従ってこの状態では昇降容器１３にかかっている負荷は圧縮コイルバネ１１及び可動フレーム９を介して可動手段であるガイドレール２５と走行輪３１とに伝達され、ガイドレール２５と走行輪３１とによって支持されている。
【００１７】
２）使用時
次に昇降容器１３内に収納されている体重計５１を使用する場合には、可動フレーム９における前部フレーム１９に設けられているハンドル４１に手を掛けて可動フレーム９を手前に引き出す。このとき、可動フレーム９の一方の側部フレーム１５とユニット式洗面台１におけるキャビネットフレーム２３との間に設けられているガイドレール２５の二段スライド作用によって可動フレーム９は円滑に手前に引き出される。
【００１８】
このような状態において、体重計５１の上に足を乗せ、体重をかけると図４（ｂ）に示すように昇降容器１３は下降し、載置板４３の底面は床面５３に当接し密着した状態となる。従って昇降容器１３にかかる負荷は載置板４３を介して直接床面５３に作用するため、ガイドレール２５及び走行輪３１に許容範囲を超えるような過大な荷重をかけることが防止される。また載置板４３の設置面積は比較的大きく採れることから安定した状態での体重計測が可能となる。
【００１９】
体重計測が終了した後は体重計５１から足を降ろし、載置板４３には体重計５１の重量のみが作用している状態とする。この状態では圧縮コイルバネ１１の付勢力によって再び昇降容器１３は上昇し、昇降容器１３における載置板４３の底面は床面５３から離れて上方に位置する。従ってガイドレール２５と走行輪３１とによる円滑な移動が可能であるから、ハンドル４１を手で持って下方空間５の奥部側に向けて可動フレーム９を軽く押し込めば、図４（ａ）に示すように下方空間５内に可動式収納装置７を収納させた状態とすることができる。
【００２０】
以上、本発明の実施の形態について詳述してきたが、具体的な構成はこの実施の形態に限られるものではなく、本発明の要旨を逸脱しない範囲における設計の変更などがあっても本発明に含まれる。
例えば付勢手段としては圧縮コイルバネ１１に限らず、板バネ等であってもよいし、ゴムやエアダンパあるいはオイルダンパ等を使用することも可能である。また付勢手段の設置数、配置形態も耐荷重等に応じて適宜増減ないし変更が可能である。
【００２１】
この他昇降容器１３は水平姿勢を維持したままの状態で上下動する場合に限らず、回動しながら上下動するように構成することも可能である。図５は水平回動軸５５と圧縮コイルバネ１１とを組み合わせることによって昇降容器１３を上下方向に回動させるようにした実施の形態である。この場合圧縮コイルバネ１１に代えて、水平回動軸５５に対して他の付勢手段であるねじりコイルバネを装着することによって上方への偏寄傾向を昇降容器１３に付与することも可能である。
【００２２】
また上記実施の形態では可動手段としてガイドレール２５と走行輪３１とを組み合わせた構成としたがガイドレール２５のみによって可動手段を構成することも可能であるし、走行輪３１のみによって可動手段を構成することも可能である。
またガイドレール２５の構造としては一般に多く使用されている係合式の摺接タイプのものであってもよいし、走行輪３１として水平方向に向きを自由に変えることのできるフリー走行輪を使用することも可能である。この他、図６（ａ）に示すように垂直回動軸５７とフリー走行輪タイプの走行輪３１とを組み合わせた回動式の可動手段を採用することも可能であるし、図６（ｂ）に示すようにリンク機構５９と走行輪３１とを組み合わせた可動手段を採用することも可能である。
また、図６（ｂ）に示したものはリンク機構５９を設けたが、このリンク機構５９を設けず、可動フレーム９がキャビネットフレーム２３と連結されない構成とし、可動フレーム９がキャビネットフレーム２３と独立して走行するようにしてもよい。
【００２３】
また本発明の可動式収納装置７の設置個所としてはユニット式洗面台１に限らず同様の下方空間５を有する部位であれば種々選択可能である。例えば作り付け、あるいは据え付けタイプの流し台、化粧台、机ないしは各種の収納棚、その他ワゴン等の移動式の家具や住宅の壁面、更にはキャンピングカーや電車等の車両や飛行機、船舶等が挙げられる。
また昇降容器１３に収納する被収納物としては体重計５１の他、折畳式の椅子や傘立てあるいは脚立等を適用することも可能である。
【００２４】
この他、昇降容器１３や可動フレーム９が必要時以外に移動しないように図示しないロック機構等を設けるようにすることも可能であるし、可動フレーム９における前部フレーム１９と後部フレーム２１を例えば入れ子状の二部材により構成し、これにより幅調整ができるようにすることも可能である。
【００２５】
【発明の効果】
本発明によれば、例えばユニット式洗面台における底板の下方空間のように従来ほとんど使用されていなかった未使用空間の有効利用を図ることができる。
また昇降容器を可動フレームから分離し、独立して移動できるようにしたことにより、例えば昇降容器内に体重計を収納した場合において、昇降容器内に体重計を収納したままの状態で体重計に乗って体重計測を行うことが可能となる。また体重計測中は昇降容器における載置板の底面が床面に当接し密着した状態にあるから、可動手段に過大な負荷をかけることなく、安定した状態での体重計側が可能となる。
【図面の簡単な説明】
【図１】本発明の実施の形態に係る可動式収納装置の設置態様を示す斜視図である。
【図２】本発明の実施の形態に係る可動式収納装置を示す縦断正面図である。
【図３】本発明の実施の形態に係る可動式収納装置を示す平面図である。
【図４】本発明の実施の形態に係る可動式収納装置の作動状態を示す収納時と使用時の縦断側面図である。
【図５】本発明の他の実施の形態に係る可動式収納装置を示す縦断側面図である。
【図６】本発明の他の実施の形態に係る可動式収納装置の二種の態様を示す平面図である。
【符号の説明】
１          ユニット式洗面台
３          底板
５          下方空間
７          可動式収納装置
９          可動フレーム
１１        圧縮コイルバネ
１３        昇降容器
１５        側部フレーム
１７        側部フレーム
１９        前部フレーム
２１        後部フレーム
２３        キャビネットフレーム
２５        ガイドレール
２７        リテーナ
２９        コロ列
３１        走行輪
３３        ガイドピン
３５        案内ブラケット
３７        ガイド穴
３９        止め輪
４３        載置板
４５        前面板
４７        後面板
５１        体重計
５３        床面
５５        水平回動軸
５７        垂直回動軸
５９        リンク機構
【図１】
0003726031.tif 000002
【図２】
0003726031.tif 000003
【図３】
0003726031.tif 000004
【図４】
0003726031.tif 000005
【図５】
0003726031.tif 000006
【図６】
0003726031.tif 000007